(57)【要約】【課題】高精度に対物レンズシフトが可能で、ミラーへ入射する光束の方向を規定する必要がなく、しかも、Ｓ／Ｎの良い再生信号を得ることが可能な光情報再生装置を提供する。【解決手段】対物レンズ２１４をホログラムディスク２１６のラジアル方向にシフトさせる際に対物レンズ２１４のシフト量を検出する。また、対物レンズ２１４のシフト量に応じて受光素子（ＣＭＯＳ）２１９上に結像する光束を入射方向に対して垂直方向に移動させる。光束を受光素子２１９上で移動させるには、開口２１７又はマスク素子を用い、それを対物レンズ２１４のシフト動作に応じて移動させる。また、開口又はマスク素子と受光素子を移動させても良い。【選択図】図１
2007280465.tif 000002
【特許請求の範囲】
【請求項１】
空間光変調素子と受光素子とを有し、前記空間光変調素子からの参照光を対物レンズを介して記録媒体に照射し、前記記録媒体からの反射光を前記受光素子で受光することによって記録情報を再生する光情報再生装置において、前記対物レンズを前記記録媒体のラジアル方向にシフトさせる手段と、前記対物レンズのシフト量を検出する検出手段と、前記対物レンズのシフト量に応じて前記受光素子上に結像する光束を入射方向に対して垂直方向に移動させる移動手段とを備えたことを特徴とする光情報再生装置。
【請求項２】
前記移動手段は、前記対物レンズのシフト量とレーザ光学系の構成から求まる距離だけ前記受光素子上に結像する光束を移動させることを特徴とする請求項１に記載の光情報再生装置。
【請求項３】
前記移動手段は、開口又はマスク素子を移動させることにより前記受光素子に結像する光束を入射方向に対して垂直方向に移動させることを特徴とする請求項１叉は２に記載の光情報再生装置。
【請求項４】
前記受光素子は、入射光束の移動方向と平行方向に前記対物レンズのシフト範囲に対応する長さを有することを特徴とする請求項１〜３のいずれか１項に記載の光情報再生装置。
【請求項５】
前記移動手段は、前記開口又はマスク素子の移動と連動して前記受光素子を光束の入射方向に対して垂直方向に移動させることを特徴とする請求項１〜４のいずれか１項に記載の光情報再生装置。
【発明の詳細な説明】
【技術分野】
【０００１】
本発明は、ホログラフィ技術を利用して記録媒体の情報を再生する光情報再生装置に関するものである。
【背景技術】
【０００２】
従来、ホログラフィクメモリの公知文献としては、例えば、『ホログラフィックメモリ／HVD（TM）を支える計測・ナノ制御技術』（Proceeding of 35th Meeting on Lightwave Sensing Technology (LST35-12) June, 2005）がある（非特許文献１）。以下、同文献によるホログラフィクメモリ技術について説明する。
【０００３】
図７は同軸タイプのホログラフィックメモリ（コリニア方式）の光学系を示す展開図である。まず、上記光学系を用いて、記録媒体であるホログラムディスク２１６に記録を行う場合の動作について説明する。光源の緑レーザ２０１から出射した光束はコリメータ２０２で平行光束とされ、ミラー２０３で反射されて、空間光変調素子ＳＬＭ２０４を照明する。
【０００４】
図７では、ＳＬＭ２０４としてＤＭＤ（Deformable Mirror Device）が使用されている。ＳＬＭ２０４上で「１」の情報を表す画素で反射された光は、ホログラムディスク２１６の方向へ反射され、「０」の情報を表す画素で反射された光はホログラムディスク２１６の方向へ反射されない。コリニア方式のＳＬＭ２０４上には、情報光２０６を変調する部分とそれを環状に取り巻く参照光２０５を変調する部分が設けられている。
【０００５】
ＳＬＭ２０４で「１」の情報を表す画素にて反射された参照光２０５と情報光２０６は、偏光ビームスプリッタＰＢＳ２０７をＰ偏光で透過し、リレーレンズ１（２０８）、ミラー２０９、リレーレンズ２（２１０）、ダイクロＢＳ２１１を経由してホログラムディスク２１６に差し向けられる。その際、１／４波長板ＱＷＰ２１２を透過し、円偏光（例えば、右回りの円偏光）に変換された参照光２０５と情報光２０６は、ミラー２１３で反射されて焦点距離Ｆの対物レンズ２１４に入射する。
【０００６】
２つのリレーレンズ１（２０８）及び２（２１０）によりＳＬＭ２０４上に表示されたパターンは、対物レンズ２１４からＦだけ手前に中間像を形成する。これにより、ＳＬＭ２０４上のパターン像（図示せず）、対物レンズ２１４、ホログラムディスク２１６がいずれもＦの距離だけ離れて配置される、所謂４Ｆ光学系が構成される。
【０００７】
ホログラムディスク２１６は、スピンドルモータ２１５上に回転可能に保持されている。対物レンズ２１４によって参照光２０５と情報光２０６はホログラムディスク２１６に集光され、干渉して干渉縞を形成する。ホログラムディスク２１６中の高分子材料には、この記録時の干渉縞パターンが屈折率分布として記録され、デジタル体積ホログラムが形成される。また、ホログラムディスク２１６中には反射膜が設けられている。
【０００８】
また、ホログラムの記録再生を行う緑レーザ２０１以外に、ホログラムディスク２１６に感光性のない赤レーザ２２０が設けられていて、上記反射膜を基準面としてホログラムディスク２１６の変位を高精度に検出することが可能である。これより、ホログラムディスク２１６に面ブレや偏芯が発生しても、光サーボ技術を用いてダイナミックに記録スポットを媒体面に追従させることが可能となり、高精度に干渉縞パターンを記録することが出来る。以下に簡単に説明する。
【０００９】
赤レーザ２２０から出射した直線偏光光束はビームスプリッタＢＳ２２１を透過し、レンズ２２２で平行光束とされ、ミラー２２３とダイクロＢＳ２１１で反射されて、ホログラムディスク２１６に差し向けられる。その際、１／４波長板ＱＷＰ２１２を透過し、円偏光（例えば、右回りの円偏光）に変換された光束は、ミラー２１３で反射されて対物レンズ２１４に入射し、ホログラムディスク２１６上の反射面に微小な光スポットとして集光される。
【００１０】
反射された光束は逆回りの円偏光（例えば、左回りの円偏光）となり、対物レンズ２１４に再入射して平行光束とされ、更に、ミラー２１３で反射されて１／４波長板ＱＷＰ２１２を透過し、往路とは垂直な直線偏光光束に変換される。
【００１１】
ダイクロＢＳ２１１で反射された光束は、往路と同様にミラー２２３、レンズ２２２を経由し、ビームスプリッタＢＳ２２１で反射されて、光検出器２２４に導かれる。光検出器２２４は、複数の受光面（図示せず）を有していて、公知の方法で反射面の位置情報を検知し、それに基づいて対物レンズ２１４のフォーカスとトラッキング制御を行うことが出来る。
【００１２】
次に、上記光学系を用いて記録媒体であるホログラムディスク２１６から記録情報の再生を行う場合の動作について説明する。光源の緑レーザ２０１から出射した光束は記録時と同様に、空間光変調素子ＳＬＭ２０４を照明する。再生時は、ＳＬＭ２０４上の参照光２０５を変調する部分のみが「１」の情報を表示し、情報光２０６を変調する部分はすべて「０」の情報を表示する。従って、参照光の部分の画素で反射された光だけが、ホログラムディスク２１６の方向へ反射され、情報光はホログラムディスク２１６の方向へ反射されない。
【００１３】
記録時と同様に参照光２０５は、円偏光（例えば、右回りの円偏光）となってホログラムディスク２１６に集光され、記録された干渉縞から情報光を再生する。ホログラムディスク２１６の反射膜で反射された情報光は、逆回りの円偏光（例えば、左回りの円偏光）となり、対物レンズ２１４に再入射して平行光束とされる。更に、ミラー２１３で反射されて１／４波長板ＱＷＰ２１２を透過し、往路とは垂直な直線偏光光束（Ｓ偏光）に変換される。この時、対物レンズ２１４からＦの距離に再生されたＳＬＭの表示パターンの中間像が形成される。
【００１４】
ダイクロＢＳ２１１を透過した光束は、リレーレンズ２（２１０）、ミラー２０９、リレーレンズ１（２０８）を経由して偏光ビームスプリッタＰＢＳ２０７に差し向けられる。偏光ビームスプスプリッタＰＢＳ２０７で反射された光束は、リレーレンズ２（２１０）と１（２０８）により空間光変調素子ＳＬＭ２０４と共役の位置にＳＬＭの表示パターンの中間像として再結像される。
【００１５】
この位置には開口２１７が予め置かれていて、情報光の周辺部にある不要な参照光が遮蔽される。そして、レンズ２１８により再結像された中間像は受光素子（ＣＭＯＳセンサ）２１９上に情報光の部分のみのＳＬＭ表示パターンを形成する。これにより、不要な参照光が受光素子（ＣＭＯＳセンサ）２１９に入射しないので、Ｓ／Ｎの良い再生信号が得られる。
【非特許文献１】ホログラフィックメモリ／HVD（TM）を支える計測・ナノ制御技術（Proceeding of 35th Meeting on Lightwave Sensing Technology (LST35-12) June, 2005 著者：譚  小地、堀米  秀嘉）
【発明の開示】
【発明が解決しようとする課題】
【００１６】
従来の技術においては、２次元の受光素子（ＣＭＯＳセンサ）２１９で受光する位置を一定とするために、対物レンズ２１４の図中Ａ方向の駆動と同期してミラー２１３を図中Ｄ方向に駆動する必要がある。そうすると駆動部が大きく重くなるため、高精度に位置合わせする必要がある対物レンズ２１４の高精度駆動は難しかった。
【００１７】
また、対物レンズ２１４とミラー２１３はホログラムディスク２１６に対してＲＡＤＩＡＬ方向へ駆動する必要があるため、ミラー２１３に入射する光束の方向がＲＡＤＩＡＬ方向に限られるという課題があった。
【００１８】
本発明の目的は、高精度の対物レンズシフトが可能で、ミラーへ入射する光束の方向を規定する必要がなく、しかも、Ｓ／Ｎの良い再生信号を得ることが可能な光情報再生装置を提供することにある。
【課題を解決するための手段】
【００１９】
本発明は、対物レンズを記録媒体のラジアル方向にシフトさせる際に対物レンズのシフト量を検出し、対物レンズのシフト量に応じて受光素子上に結像する光束を入射方向に対して垂直方向に移動させる。そのため、対物レンズとともに直前のミラーをシフトさせる必要がない。
【発明の効果】
【００２０】
本発明によれば、対物レンズとともに直前のミラーを駆動する必要がなく、対物レンズのみを駆動すれば良いため、可動部を小型化でき、高精度に対物レンズを駆動することができる。
【００２１】
また、対物レンズ直前のミラーを駆動せずに対物レンズを駆動する構成のため、対物レンズ直前のミラーに入射する光束の方向がホログラムディスクに対するＲＡＤＩＡＬ方向に限らず、光学配置の自由度が増すという効果が得られる。更に、対物レンズシフトと同期して受光素子に入射する光束をシフトさせ、そのシフト量を正確に把握できる構成のため、Ｓ／Ｎの良い再生信号が得られる。
【発明を実施するための最良の形態】
【００２２】
次に、発明を実施するための最良の形態について図面を参照して詳細に説明する。
【００２３】
（第１の実施形態）
図１、図２は本発明の第１の実施形態によるコリニア方式ホログラフィックメモリの光学系を説明する図である。図１は記録時の光学系を示す図、図２は再生時の光学系を示す図である。なお、図１、図２は展開図である。また、図１、図２では図７の従来装置と同一部分には同一符号を付している。更に、本実施形態では、ホログラムディスクに記録や再生を行う記録回路や再生回路、サーボ制御回路等については周知であるので省略している。
【００２４】
図１を用いてホログラムディスク２１６に記録を行う場合の動作を説明する。光源の緑レーザ２０１から出射した光束はコリメータ２０２で平行光束とされ、ミラー２０３で反射されて空間光変調素子ＳＬＭ（ＤＭＤ）２０４を照明する。
【００２５】
従来例と同様に、コリニア方式のＳＬＭ２０４上には、情報光２０６を変調する部分とそれを環状に取り巻く参照光２０５を変調する部分が設けられている。ＳＬＭ（ＤＭＤ）２０４で反射された光束は偏光ビームスプリッタＰＢＳ２０７をＰ偏光で透過する。更に、リレーレンズ１（２０８）、ミラー２０９、リレーレンズ２（２１０）、ダイクロＢＳ２１１を経由して１／４波長板ＱＷＰ２１２へ入射する。１／４波長板ＱＷＰ２１２を透過した光束は円偏光（例えば、右回りの円偏光）に変換されてホログラムディスク２１６に差し向けられ、ミラー２１３で反射されて焦点距離Ｆの対物レンズ２１４に入射する。
【００２６】
２つのリレーレンズ１（２０８）及び２（２１０）によりＳＬＭ上に表示されたパターンは、対物レンズ２１４からＦだけ手前に中間像を形成する。これにより、ＳＬＭ上のパターン像（図示せず）、対物レンズ２１４、ホログラムディスク２１６がいずれもＦの距離だけ離れて配置される、所謂４Ｆ光学系が構成される。
【００２７】
ホログラムディスク２１６は、スピンドルモータ２１５上に回転可能に保持されている。対物レンズ２１４によって参照光２０５と情報光２０６はホログラムディスク２１６に集光され、干渉して干渉縞を形成する。
【００２８】
対物レンズ２１４は矢印Ａ方向（ホログラムディスクの半径方向）に駆動され、ホログラムディスク２１６上の所望の領域に干渉縞の形成が可能となる。ホログラムディスク２１６中の高分子材料には、この記録時の干渉縞パターンが屈折率分布として記録され、デジタル体積ホログラムが形成される。また、ホログラムディスク２１６中には反射膜が設けられている。
【００２９】
対物レンズ２１４を矢印Ａ方向に駆動するには、例えば、アクチュエータ等の駆動源、駆動源を駆動する駆動回路、対物レンズ２１４をＡ方向にガイドするガイド機構等からなる駆動手段が用いられる。対物レンズ２１４はこの駆動手段の駆動によって矢印Ａ方向に移動する。
【００３０】
また、従来例と同様にホログラムの記録や再生を行う緑レーザ２０１以外に、ホログラムディスク２１６に感光性のない赤レーザ２２０が設けられ、上記反射膜を基準面としてホログラムディスク２１６の変位を高精度に検出することが可能である。これにより、ホログラムディスク２１６に面ブレや偏芯が発生しても、光サーボ技術を用いてダイナミックに記録スポットを追従させることが可能となり、高精度に干渉縞パターンを記録することができる。
【００３１】
以下に簡単に説明する。赤レーザ２２０から出射した光束はビームスプリッタＢＳ２２１を透過し、レンズ２２２で平行光束とされ、ミラー２２３とダイクロＢＳ２１１で反射されてホログラムディスク２１６に差し向けられる。その際、１／４波長板ＱＷＰ２１２を透過し、円偏光（例えば、右回りの円偏光）に変換された光束は、ミラー２１３で反射されて対物レンズ２１４に入射し、ホログラムディスク２１６上の反射面に微小な光スポットとして集光される。
【００３２】
反射面から反射された光束は逆回りの円偏光（例えば、左回りの円偏光）となり、対物レンズ２１４に再入射して平行光束とされる。更に、ミラー２１３で反射されて１／４波長板ＱＷＰ２１２を透過し、往路とは垂直な直線偏光光束に変換され、ダイクロＢＳ２１１に入射する。
【００３３】
ダイクロＢＳ２１１で反射された光束は、往路と同様にミラー２２３、レンズ２２２を経由し、ビームスプリッタＢＳ２２１で一部の光束が反射されて、光検出器２２４に導かれる。光検出器２２４は、複数の受光面（図示せず）を有していて、公知の方法で反射面の位置情報を検知し、それに基づいて対物レンズ２１４のフォーカスとトラッキング制御を行うことが出来る。本実施形態では、これらフォーカス制御やトラッキング制御等に関しては省略する。
【００３４】
次に、図２及び図４を用いてホログラムディスク２１６から記録情報を再生する場合の動作を説明する。光源の緑レーザ２０１から出射した光束は、記録時と同様に空間光変調素子ＳＬＭ２０４を照明し、参照光２０５は偏光ビームスプリッタＰＢＳ２０７を透過する。そして、ホログラムディスク２１６に集光され、記録された干渉縞から情報光を再生する。
【００３５】
ホログラムディスク２１６中の反射膜で反射された情報光は、対物レンズ２１４に再入射して平行光束とされ、ミラー２１３で反射される。この時、対物レンズ２１４からＦの距離に再生されたＳＬＭの表示パターンの中間像が形成される。
【００３６】
ダイクロＢＳ２１１を透過した光束は、リレーレンズ２（２１０）、ミラー２０９、リレーレンズ１（２０８）を経由して偏光ビームスプリッタＰＢＳ２０７に差し向けられる。そして、リレーレンズ２（２１０）と１（２０８）との共役の位置にＳＬＭの表示パターンの中間像として再結像される（図示せず）。この再結像された中間像は偏光ビームスプリッタＰＢＳ２０７で反射され、開口２１７で所望の情報光の領域のみに制限されてレンズ２１８に入射し、受光素子（ＣＭＯＳ）２１９上に結像される。
【００３７】
ホログラムディスク２１６に記録されている全面の情報を再生するためには、上述のようなアクチュエータ等を用いた駆動手段の駆動により矢印Ａ方向に対物レンズ２１４をシフトさせる。この際、対物レンズ２１４のシフト量が読み取られ、開口２１７を対物レンズ２１４のシフト動作に同期して、且つ、対物レンズ２１４のシフト量に応じて矢印Ｂ方向に移動させる。
【００３８】
開口２１７を矢印Ｂ方向に移動させる場合には、対物レンズ２１４のＡ方向のシフト量に対応する分だけ開口２１７を矢印Ｂ方向に移動させる。例えば、対物レンズ２１４を矢印Ａ方向に１ｍｍシフトさせたとすると、開口２１７をその１ｍｍに対応する、例えば、０．８ｍｍだけ矢印Ｂ方向に移動させる。つまり、対物レンズ２１４のシフト分と、対物レンズ２１４から開口２１７までのレーザ光学系の構成から求まる距離だけ矢印Ｂ方向に開口２１７を移動させる。
【００３９】
開口２１７の駆動機構２２７は、例えば、アクチュエータ等の駆動源と開口２１７を矢印Ｂ方向にガイドするガイド機構等から構成され、開口２１７はそのガイド機構上に取り付けられている。コントローラ２２６は駆動回路２２５を制御し、駆動回路２２５から駆動機構２２７の駆動源を駆動することにより、開口２１７に入射する光束に垂直な矢印Ｂ方向に開口２１７を移動させる。
【００４０】
対物レンズ２１４のシフト量は、例えば、図示しないレンズ位置センサを用いて光学的な情報として読み取ったり、或いは図示しない接触式センサを用いてシフト量を直接読み取る方法でも構わない。
【００４１】
また、開口２１７はレンズ２１８よりも受光素子２１９側に配置する構成でも構わないし、受光素子（ＣＭＯＳ）２１９上に開口２１７を配置する構成でも構わない。更に、レンズ２１８が対物レンズ２１４のシフト量に応じて移動する構成でも構わない。
【００４２】
ここで、再生時に対物レンズ２１４を矢印Ａ方向にシフトさせると、矢印Ｂ方向にシフトした開口２１７を通過した光束はレンズ２１８により受光素子（ＣＭＯＳ）２１９上に矢印Ｃ方向にシフトした位置に結像される。そのため、再生時にミラー２１３を駆動せずに対物レンズ２１９を矢印Ａ方向にシフトさせる場合には、情報光２０６は受光素子（ＣＭＯＳ）２１９上で矢印Ｃ方向にシフトして結像する。
【００４３】
受光素子（ＣＭＯＳ）２１９は図４（a）に示すように矢印Ｃ方向に長い形状で、対物レンズ２１４のシフトに対応できる大きさのものが使用されている。即ち、情報光２０６によるスポットは受光素子（ＣＭＯＳ）２１９上で対物レンズ２１４のシフト量に応じてＣ方向に移動するが、受光素子（ＣＭＯＳ）２１９のＣ方向の長さは対物レンズ２１４のシフト範囲に対応する長さとなっている。
【００４４】
図４（ｂ）従来の受光素子を示す。本発明に用いる受光素子に比べ矢印Ｃ方向の幅が短く、情報光２０６によるスポットのシフトに対応できない。
【００４５】
本実施形態では、対物レンズ２１４のシフト量をもとに受光素子（ＣＭＯＳ）２１９上に結像する情報光の受光位置を決定し、受光素子（ＣＭＯＳ）２１９上で所望の領域の情報光を取得することで、Ｓ／Ｎの良い信号を再生することが出来る。
【００４６】
なお、開口２１７の代わりに同じ位置にマスク素子（図示せず）を配置する構成でも構わない。マスク素子は光束の周辺部の参照光に相当する部分をマスクする働きを有するものである。
【００４７】
例えば、マスク素子として液晶素子を用い、コントローラの制御に基づいて記録時と再生時とで図示しない駆動回路から液晶素子への駆動電圧のオン／オフを切り替える。そうすることで、再生時には光束の中心部を透過させて受光素子（ＣＭＯＳ）２１９に導くようにする。
【００４８】
その際、図２の説明と同様にマスク素子を対物レンズ２１４のシフト量に応じて矢印Ｂ方向に移動させることで、開口２１７を用いた場合と同様の効果が得られる。
【００４９】
（第２の実施形態）
図３は本発明の第２の実施形態を示す構成図である。図３を用いてホログラムディスク２１４から記録情報を再生する別の形態について説明する。図３は緑レーザ２０１と空間光変調素子ＳＬＭ２０４との間にマスク素子２２９を有する装置に本発明を使用した形態を示すものである。
【００５０】
なお、図３では図２と同一部分には同一符号を付して説明を省略する。また、図３では同様にホログラムディスクに記録や再生を行う記録回路や再生回路、サーボ制御回路等については省略している。
【００５１】
光源の緑レーザ２０１から出射した光束はコリメータ２０２で平行光束とされ、マスク素子２２９に入射する。マスク素子２２９は、光束の中心部の情報光に相当する部分をマスクする働きを有する。
【００５２】
本実施形態では、マスク素子２２９として液晶素子を用いているが、中心部を遮蔽するマスクを光路に挿入しても良い。記録時には、このマスク素子２２９は機能せず、全ての光束を透過する。
【００５３】
即ち、図示しないコントローラの制御に基づいて記録時と再生時とで図示しない駆動回路から液晶素子への駆動電圧のオン／オフを切り替える。そうすることで、液晶素子は記録時には全ての光束を透過し、再生時には光束の中心部の情報光に相当する部分をマスクする。
【００５４】
開口２１７は図２の形態と同様に対物レンズ２１４のシフト量に応じて矢印Ｂ方向に移動する。そのため、マスク素子２２９を透過後、記録時にＳＬＭ上で生成されたパターン像が再生時には矢印Ｃ方向にシフトして受光素子（ＣＭＯＳ）２１９に結像することは図２の場合と同様である。
【００５５】
また、図３の場合にも、上述のように開口２１７の代わりにマスク素子（図示せず）を配置し、対物レンズ２１４のシフト量に応じてマスク素子を矢印Ｂ方向にシフトする構成でも構わない。このマスク素子は上述のように光束の周辺部の参照光に相当する部分をマスクする働きを有する。
【００５６】
（第３の実施形態）
図５は本発明の第３の実施形態を示す図である。図５では図１〜図３と同一部分には同一符号を付して説明を省略する。なお、図５は展開図である。図２や図３との違いは対物レンズ２１４のシフト量に応じて、且つ対物レンズ２１４のシフト動作に同期して開口２１７と受光素子（ＣＭＯＳ）２１９が連動して移動する点である。また、図５では同様にホログラムディスクに記録や再生を行う記録回路や再生回路、サーボ制御回路等については省略している。
【００５７】
本実施形態では、上述のように開口２１７のＢ方向の移動に連動して受光素子（ＣＭＯＳ）２１９が矢印Ｅ方向に移動する。開口２１７と受光素子（ＣＭＯＳ）２１９は駆動機構２２７の駆動により矢印Ｂ、Ｅ方向に移動する（Ｂ、Ｅは同じ方向）。記録時にＳＬＭ上で生成されたパターン像が再生時には矢印Ｅ方向にシフトした受光素子（ＣＭＯＳ）２１９に入射することは第１の実施形態と同様である。
【００５８】
次に、ホログラムディスク２１６から情報を再生する場合の動作を図５と図６を用いて説明する。本実施形態の特徴部分のみ説明する。
【００５９】
受光素子（ＣＭＯＳ）２１９は駆動機構２２７上に取り付けられ、対物レンズ２１４のシフト量に応じて、且つ、対物レンズ２１４のシフト動作に同期して受光素子（ＣＭＯＳ）２１９に入射する光束に垂直な矢印Ｅ方向に移動する。開口２１７も同様に駆動機構２２７の駆動により矢印Ｂ方向に移動する。受光素子（ＣＭＯＳ）２１９と開口２１７の矢印Ｅ方向とＢ方向の移動量は第１の実施形態と同様に対物レンズ２１４のシフト量とレーザ光学系の構成から決められる。
【００６０】
図６（ａ）は受光素子（ＣＭＯＳ）２１９の移動の様子を示す。受光素子（ＣＭＯＳ）２１９は対物レンズ２１４の矢印Ａ方向のシフト量に応じて矢印Ｅ方向に移動する。その場合、図６（ａ）に示すように開口２１７の移動に従い情報光２０６によるスポットは矢印Ｃ方向に移動するが、受光素子（ＣＭＯＳ）２１９がそのスポットの移動に連動して矢印Ｅ方向に移動する。
【００６１】
このように開口２１７の移動に連動して受光素子（ＣＭＯＳ）２１９が移動することにより、図４（ａ）に示すように矢印Ｃ方向に長い受光素子（ＣＭＯＳ）２１９を用いる必要がない。なお、図４（ｂ）は受光素子（ＣＭＯＳ）２１９を矢印Ｅ方向に移動させない場合の情報光２０６によるスポットを示す。
【００６２】
本実施形態では、再生時に対物レンズ２１４のシフト動作に応じて開口２１７と受光素子（ＣＭＯＳ）２１９をＢ、Ｅ方向に移動させることにより、第１の実施形態と同様にコントラストの大きいＳ／Ｎの良い再生信号が得られる。記録時には駆動回路２２５が駆動せずに受光素子２１９、開口２１７は移動させない。
【００６３】
なお、本実施形態では、受光素子２１９や開口２１７を駆動機構２２７を用いて移動させているが、受光素子（ＣＭＯＳ）２１９と開口２１７は別々の駆動機構により駆動を行ってもよい。また、上述のように開口２１７の代わりにマスク素子を用いても良いことはもちろんである。
【図面の簡単な説明】
【００６４】
【図１】本発明の第１の実施形態による記録時の光学系を示す図である。
【図２】本発明の第１の実施形態による再生時の光学系を示す図である。
【図３】本発明の第２の実施形態による再生時の光学系を示す図である。
【図４】本発明の第１の実施形態による再生時に受光素子ＣＭＯＳセンサに入射する光束の説明図である。
【図５】本発明の第３の実施形態による再生時の光学系を示す図である。
【図６】本発明の第３の実施形態による再生時にＣＭＯＳセンサに入射する光束の説明図である。
【図７】従来例のホログラフィックメモリの光学系を示す図である。
【符号の説明】
【００６５】
２０１  緑レーザ
２０２  コリメータ
２０３  ミラー
２０４  空間光変調素子（ＳＬＭ）
２０５  参照光
２０６  情報光
２０７  偏光ビームスプリッター（ＰＢＳ）
２０８  リレーレンズ１
２０９  ミラー
２１０  リレーレンズ２
２１１  ダイクロＢＳ
２１２  １／４波長板（ＱＷＰ）
２１３  ミラー
２１４  対物レンズ
２１５  スピンドルモータ
２１６  ホログラムディスク
２１７  開口
２１８  レンズ
２１９  受光素子（ＣＭＯＳ）
２２０  赤レーザ
２２１  ビームスプリッタ（ＢＳ）
２２２  レンズ
２２３  ミラー
２２４  光検出器
２２５  駆動回路
２２６  コントローラ
２２７  駆動機構
２２９  マスク素子
【図１】
2007280465.tif 000003
【図２】
2007280465.tif 000004
【図３】
2007280465.tif 000005
【図４】
2007280465.tif 000006
【図５】
2007280465.tif 000007
【図６】
2007280465.tif 000008
【図７】
2007280465.tif 000009